(57)【要約】【課題】２本のケーブル間の接続強度が高く、実用的であり、普及の意義があるケーブル接続固定装置を提供する。【解決手段】ケーブル接続固定装置には、２本のケーブル４０が接続され、２本のケーブル４０間の回路が導通される。ケーブル４０は、複数の導線４１により構成される。ケーブル接続固定装置は、第１のハウジング１０と、第１のハウジング１０に取り付けた導電端子と、第１のハウジング１０上を覆う第２のハウジングとを含む。第１のハウジング１０は、本体部及び位置規制部を有する。本体部上には、取付け面が設けられる。取付け面上には、収容槽が形成される。位置規制部は、収容槽の槽底に固定される。位置規制部上には、複数の分離プレートが設けられる。２つの分離プレート１３１間には、取付け空間が形成される。導電端子は取付け空間内に入り込み、第２のハウジング上には、複数の押圧ブロックが設けられる。【選択図】図４
0003215194.tif 000002
【実用新案登録請求の範囲】
【請求項１】
ケーブル接続固定装置であって、
前記ケーブル接続固定装置には、２本のケーブルが接続され、前記２本のケーブル間の回路が導通され、前記ケーブルは、複数の導線により構成され、各前記導線は、導電芯と、前記導電芯の外側を覆う絶縁層と、を含み、
前記ケーブル接続固定装置は、第１のハウジングと、前記第１のハウジングに取り付けた導電端子と、前記第１のハウジング上を覆う第２のハウジングと、を含み、
前記第１のハウジングは、本体部及び位置規制部を有し、前記本体部上には、取付け面が設けられ、前記取付け面上には、収容槽が形成され、前記位置規制部は、前記収容槽の槽底に固定され、前記位置規制部上には、複数の分離プレートが設けられ、２つの前記分離プレート間には、取付け空間が形成され、前記導電端子は前記取付け空間内に入り込み、前記第２のハウジング上には、複数の押圧ブロックが設けられ、
前記２本のケーブル上の前記導線の端部が前記導電端子の両側上方に入り込むと、前記第２のハウジング上の前記押圧ブロックが前記取付け空間内に入り込み、前記押圧ブロックが前記２本のケーブル上の前記導線を押圧し、前記導電端子が前記２本のケーブルの前記導線を突き破って電気的に接続され、前記導電端子が前記２本のケーブルの前記導線に接続されることを特徴とするケーブル接続固定装置。
【請求項２】
前記第１のハウジングの両側には、前記本体部の背面まで延伸した溝部が設けられ、
前記第２のハウジングは、蓋板の両側に垂直に接続された係合板を有し、
前記押圧ブロックは、前記蓋板の内側面に設けられ、
前記第２のハウジング上の前記係合板は、前記溝部内に入り込むことを特徴とする請求項１に記載のケーブル接続固定装置。
【請求項３】
前記係合板の前記蓋板から離れた縁部には、内方に折り曲げられたフック部が設けられ、
前記溝部内の槽底壁には、リブが突設され、組立てて前記係合板上の前記フック部が前記リブに滑り込むと、前記リブに位置決めされることを特徴とする請求項２に記載のケーブル接続固定装置。
【請求項４】
前記押圧ブロックの中央部には、凹口が形成されていることを特徴とする請求項１に記載のケーブル接続固定装置。
【請求項５】
前記収容槽は傾いた状態に成形され、
前記収容槽及び前記本体部の主軸の延伸方向により夾角が形成され、
前記押圧ブロックには、傾斜が設けられ、
前記押圧ブロックの傾斜度は、前記分離プレートの傾斜度と同じであることを特徴とする請求項１に記載のケーブル接続固定装置。
【請求項６】
前記蓋板の対向する二辺には、前記収容槽に対応するように突片がそれぞれ設けられ、
前記突片は、前記収容槽内に入り込んで前記ケーブルを押圧することを特徴とする請求項５に記載のケーブル接続固定装置。
【請求項７】
前記収容槽の両側には、前記本体部の前記主軸の延伸方向に対して垂直に外方へ貫通した第１の開口及び第２の開口が形成されていることを特徴とする請求項６に記載のケーブル接続固定装置。
【請求項８】
前記取付け面は、第１の線槽及び第２の線槽を有し、
前記第１の線槽及び前記第２の線槽は、Ｌ字状に形成され、
前記第１の線槽及び前記第２の線槽は、対角位置に配置され、
前記第１の線槽及び前記第２の線槽の対角位置の方向と、前記収容槽の延伸方向とは交差し、
前記Ｌ字状に形成された第１の線槽は、前記取付け面に沿って外方へ貫通され、第１の接続口及び第２の接続口が形成され、
前記Ｌ字状に形成された第２の線槽は、前記取付け面に沿って外方へ貫通され、第３の接続口及び第４の接続口が形成されることを特徴とする請求項６に記載のケーブル接続固定装置。
【請求項９】
前記収容槽の槽底には、係合溝が設けられ、
前記係合溝内には、前記位置規制部が設けられ、前記係合溝に前記位置規制部が位置決めされることを特徴とする請求項１に記載のケーブル接続固定装置。
【請求項１０】
前記導電端子は、埋入部と、前記埋入部の両端に接続された突起部と、を有し、
前記導電端子の前記埋入部は、前記位置規制部の底部に埋入され、
前記導電端子の前記突起部は、前記取付け空間内に入り込むことを特徴とする請求項１に記載のケーブル接続固定装置。
【考案の詳細な説明】
【技術分野】
【０００１】
本考案は、接続装置に関するものであり、さらに詳しくは、ケーブル接続固定装置に関するものである。
【背景技術】
【０００２】
従来から市販されている吊下げ灯は、室内の約３メートルの高さに２メートル強の長さを有するケーブルを組み合わせるのが一般的であるが、高さが大きめである場合、別途ケーブルを増やして接続しなければならないという問題があった。しかし一般に高所作業となるため、半田付け作業は容易でなく、手作業で接続して絶縁テープを巻き付けなければならず、全体の外観が好ましくない上、取付け効率が悪く、互いに接続する２本のケーブル間の接続強度が十分でなく、安全性にも問題があった。
【考案の概要】
【考案が解決しようとする課題】
【０００３】
従って、本考案の主な課題は、２本のケーブルの接続過程を大幅に簡素化して組立て効率を高め、２本のケーブル間の接続強度が高く、実用的であり、普及の意義があるケーブル接続固定装置を提供することにある。
【課題を解決するための手段】
【０００４】
そこで、本考案者は、前記の本考案の課題を解決するため鋭意検討を重ねた結果、第１のハウジング上に取付け空間を設け、取付け空間内に導電端子が設けられ、第２のハウジング上にバンプが設けられ、バンプによりケーブルの導線が押圧されると、導電端子が同時に２本のケーブル上の導線を突き破って２本のケーブル上の導線が電気的に接続されるため、２本のケーブルの接続過程を大幅に簡素化して組立て効率を高め、２本のケーブル間の接続強度が高く、実用的であり、普及の意義が大きいケーブル接続固定装置を提供できることに着目し、かかる知見に基いて本考案に想到するに至った。
【０００５】
かくして、本考案の要旨は、次の（１）〜（１０）に記載された通りのものである。
（１）ケーブル接続固定装置であって、
前記ケーブル接続固定装置には、２本のケーブルが接続され、前記２本のケーブル間の回路が導通され、前記ケーブルは、複数の導線により構成され、各前記導線は、導電芯と、前記導電芯の外側を覆う絶縁層と、を含み、
前記ケーブル接続固定装置は、第１のハウジングと、前記第１のハウジングに取り付けた導電端子と、前記第１のハウジング上を覆う第２のハウジングと、を含み、
前記第１のハウジングは、本体部及び位置規制部を有し、前記本体部上には、取付け面が設けられ、前記取付け面上には、収容槽が形成され、前記位置規制部は、前記収容槽の槽底に固定され、前記位置規制部上には、複数の分離プレートが設けられ、２つの前記分離プレート間には、取付け空間が形成され、前記導電端子は前記取付け空間内に入り込み、前記第２のハウジング上には、複数の押圧ブロックが設けられ、
前記２本のケーブル上の前記導線の端部が前記導電端子の両側上方に入り込むと、前記第２のハウジング上の前記押圧ブロックが前記取付け空間内に入り込み、前記押圧ブロックが前記２本のケーブル上の前記導線を押圧し、前記導電端子が前記２本のケーブルの前記導線を突き破って電気的に接続され、前記導電端子が前記２本のケーブルの前記導線に接続されることを特徴とするケーブル接続固定装置。
【０００６】
（２）前記第１のハウジングの両側には、前記本体部の背面まで延伸した溝部が設けられ、
前記第２のハウジングは、蓋板の両側に垂直に接続された係合板を有し、
前記押圧ブロックは、前記蓋板の内側面に設けられ、
前記第２のハウジング上の前記係合板は、前記溝部内に入り込むことを特徴とする前記（１）に記載のケーブル接続固定装置。
【０００７】
（３）前記係合板の前記蓋板から離れた縁部には、内方に折り曲げられたフック部が設けられ、
前記溝部内の槽底壁には、リブが突設され、組立てて前記係合板上の前記フック部が前記リブに滑り込むと、前記リブに位置決めされることを特徴とする前記（２）に記載のケーブル接続固定装置。
【０００８】
（４）前記押圧ブロックの中央部には、凹口が形成されていることを特徴とする前記（１）に記載のケーブル接続固定装置。
【０００９】
（５）前記収容槽は傾いた状態に成形され、
前記収容槽及び前記本体部の主軸の延伸方向により夾角が形成され、
前記押圧ブロックには、傾斜が設けられ、
前記押圧ブロックの傾斜度は、前記分離プレートの傾斜度と同じであることを特徴とする前記（１）に記載のケーブル接続固定装置。
【００１０】
（６）前記蓋板の対向する二辺には、前記収容槽に対応するように突片がそれぞれ設けられ、
前記突片は、前記収容槽内に入り込んで前記ケーブルを押圧することを特徴とする前記（５）に記載のケーブル接続固定装置。
【００１１】
（７）前記収容槽の両側には、前記本体部の前記主軸の延伸方向に対して垂直に外方へ貫通した第１の開口及び第２の開口が形成されていることを特徴とする前記（６）に記載のケーブル接続固定装置。
【００１２】
（８）前記取付け面は、第１の線槽及び第２の線槽を有し、
前記第１の線槽及び前記第２の線槽は、Ｌ字状に形成され、
前記第１の線槽及び前記第２の線槽は、対角位置に配置され、
前記第１の線槽及び前記第２の線槽の対角位置の方向と、前記収容槽の延伸方向とは交差し、
前記Ｌ字状に形成された第１の線槽は、前記取付け面に沿って外方へ貫通され、第１の接続口及び第２の接続口が形成され、
前記Ｌ字状に形成された第２の線槽は、前記取付け面に沿って外方へ貫通され、第３の接続口及び第４の接続口が形成されることを特徴とする前記（６）に記載のケーブル接続固定装置。
【００１３】
（９）前記収容槽の槽底には、係合溝が設けられ、
前記係合溝内には、前記位置規制部が設けられ、前記係合溝に前記位置規制部が位置決めされることを特徴とする前記（１）に記載のケーブル接続固定装置。
（１０）前記導電端子は、埋入部と、前記埋入部の両端に接続された突起部と、を有し、
前記導電端子の前記埋入部は、前記位置規制部の底部に埋入され、
前記導電端子の前記突起部は、前記取付け空間内に入り込むことを特徴とする前記（１）に記載のケーブル接続固定装置。
【考案の効果】
【００１４】
本考案は、前記の構成からなるものであり、２本のケーブルの接続過程が大幅に簡素化されて組立効率を向上させることができる。
【図面の簡単な説明】
【００１５】
【図１】図１は、本考案の一実施形態に係るケーブル接続固定装置にケーブルを取付けた状態を示す斜視図である。
【図２】図２は、図１のケーブル接続固定装置を示す分解斜視図である。
【図３】図３は、本考案の一実施形態に係るケーブル接続固定装置の導電端子を第１のハウジングに取り付けた状態を示す構造図である。
【図４】図４は、図１のケーブル接続固定装置にケーブルを取付けた状態を示す構造図である（第２のハウジングは省略されている）。
【考案を実施するための形態】
【００１６】
図１〜図４を参照する。図１〜図４に示すように、本考案の一実施形態に係るケーブル接続固定装置には、２本のケーブル４０が接続され、２本のケーブル４０間の回路が導通される。上述したケーブル４０は、複数の導線４１により構成される。各導線４１は、導電芯と、導電芯の外側を覆う絶縁層と、を含む。上述したケーブル接続固定装置は、第１のハウジング１０と、第１のハウジング１０に取り付けた導電端子３０と、第１のハウジング１０上を覆う第２のハウジング２０と、を含む。上述した第１のハウジング１０と第２のハウジング２０とが組み合わされると密封空間が形成され、２本のケーブル４０が第１のハウジング１０及び第２のハウジング２０から密封空間内にそれぞれ延ばし入れられる。
【００１７】
上述した第１のハウジング１０は、全体に亘ってほぼ方形状に設置される。第１のハウジング１０は、本体部１１と、本体部１１に取り付けられた位置規制部１３と、を含む。上述した本体部１１上には、取付け面１１０が設けられる。上述した本体部１１の取付け面１１０上には、収容槽１１１が形成される。上述した収容槽１１１は傾いた状態に成形される。収容槽１１１及び本体部１１の主軸の延伸方向により夾角が形成される。上述した収容槽１１１の両側には、本体部１１の主軸の延伸方向に対して垂直に外方へ貫通した第１の開口１１２及び第２の開口１１３が形成される。上述した取付け面１１０は、第１の線槽１１４及び第２の線槽１１７を有する。上述した第１の線槽１１４及び第２の線槽１１７は、Ｌ字状に形成される。上述した第１の線槽１１４及び第２の線槽１１７は、対角位置に配置され、第１の線槽１１４及び第２の線槽１１７の対角位置の方向と、収容槽の延伸方向とが交差し、Ｌ字状に形成された第１の線槽１１４は、取付け面１１０に沿って外方へ貫通され、第１の接続口１１５及び第２の接続口１１６が形成され、第１の接続口１１５と第１の開口１１２とは平坦状を呈し、逆方向に設置される。従って、Ｌ字状に設置した第２の線槽１１７は、取付け面１１０に沿って外方へ貫通され、第３の接続口１１８及び第４の接続口１１９が形成される。第３の接続口１１８と第２の開口１１３とは、平坦状を呈し、逆方向に設置される。上述した第１のハウジング１０の両側には、本体部１１の背面の溝部１２１まで延伸した取付け面１１０が設けられる。上述した溝部１２１内の槽底壁には、リブ１２２が突設されている。
【００１８】
収容槽１１１の槽底には、係合溝１２０が設けられる。上述した位置規制部１３は、係合溝１２０内に設けられ、係合溝１２０には、位置規制部１３が位置決めされる。上述した位置規制部１３上には、複数の分離プレート１３１が設けられる。分離プレート１３１間は互いに平行である上、２つの分離プレート１３１間には、取付け空間１３２が形成される。分離プレート１３１の設置方向は、収容槽１１１の延伸方向と同じである。
【００１９】
ここで、本実施形態の位置規制部１３は、係合溝１２０に位置決めする方式で取り付けて固定するが、他の実施形態では、上述した位置規制部１３は、一体成形方式により収容槽１１１の槽底に直接固定されてもよい。
【００２０】
上述した導電端子３０は、全体に亘ってほぼプレート状を呈し、各端の導電端子と２つの分離プレート１３１との間の取付け空間１３２を組み合わせて使用する。上述した導電端子３０は、埋入部（図示せず）と、埋入部の両端に接続された突起部３１と、を含む。突起部３１は、尖った金属片である。上述した導電端子３０の埋入部は、位置規制部１３の底部に一体成形方式で埋入される。導電端子３０の突起部３１は、取付け空間１３２内に入り込ませる。
【００２１】
上述した第２のハウジング２０は、全体に亘ってほぼ「門」字状に設置されるとともに、蓋板２１と、蓋板２１の両側に垂直に接続された係合板２２と、蓋板２１の内側面に接続された複数の押圧ブロック２５と、を含む。上述した係合板２２の蓋板２１から離れた縁部には、内方に折り曲げられたフック部２４が設けられる。上述した蓋板２１の対向する二辺には、収容槽２３に対応するように突片２６がそれぞれ設けられる。上述した押圧ブロック２５には、傾斜が設けられるとともに、押圧ブロック２５の傾斜度は、分離プレート１３１の傾斜度と同じであり、上述した押圧ブロック２５間は互いに平行であり、押圧ブロック２５の中央部には、凹口が形成される。
【００２２】
実際に使用する際、一方のケーブル４０は、第１の接続口１１５及び第２の接続口１１６から第１の線槽１１４内に係入されるとともに、ケーブル４０の第１の接続口１１５が本体部１１の背面まで巻き付けられ、第１の開口１１２から突片２３内に係入され、ケーブル４０上の異なる導線４１をそれぞれ対応した取付け空間１３２内に入り込ませる。また、他方のケーブル４０を第３の接続口１１８及び第４の接続口１１９から第２の線槽１１７内に係入し、ケーブル４０の第３の接続口１１８を本体部１１の背面まで巻き付け、第４の開口から収容槽２３内へ係入し、ケーブル４０上の異なる導線４１を対応した取付け空間１３２内に入り込ませ、２本のケーブル４０上の導線４１の端部は、導電端子３０の両側の突起部３１の上方にそれぞれ位置する。最終的に、第２のハウジング２０を第１のハウジング１０上に取り付けると、第２のハウジング２０上の係合板２２が溝部１２１内に入り込み、係合板２２上のフック部２４がリブ１２２に滑り込み、リブ１２２に位置決めされ、第２のハウジング２０上の２つの突片２３が２本のケーブル４０をそれぞれ押圧する。第２のハウジング２０上の押圧ブロック２５を取付け空間１３２内に入り込ませると、押圧ブロック２５の両端が同時に２本のケーブル４０上の導線４１を押圧し、導電端子３０の突起部３１が同一の取付け空間１３２内の２本のケーブル４０の導線４１を突き破り、導電端子３０が２本のケーブル４０の導線４１に接続され、回路を導通する。
【００２３】
上述したことから分かるように、本考案のケーブル接続固定装置は、第１のハウジング１０上に形成された取付け空間１３２を介し、取付け空間１３２内に導電端子３０が設けられるとともに、第２のハウジング２０上にバンプが設けられ、バンプがケーブル４０の導線４１を押圧すると、第２のハウジング２０が２本のケーブル４０上の導線４１を突き破り、２本のケーブル４０上の導線４１を回路接続する。本考案は、２本のケーブル４０の接続過程が大幅に簡素化されて組立て効率が高まり、２本のケーブル４０間の接続強度が高く、実用的であり、普及の意義がある。
【符号の説明】
【００２４】
１０  第１のハウジング
１１  本体部
１３  位置規制部
２０  第２のハウジング
２１  蓋板
２２  係合板
２３  収容槽
２４  フック部
２５  押圧ブロック
２６  突片
３０  導電端子
３１  突起部
４０  ケーブル
４１  導線
１１０  取付け面
１１１  収容槽
１１２  第１の開口
１１３  第２の開口
１１４  第１の線槽
１１５  第１の接続口
１１６  第２の接続口
１１７  第２の線槽
１１８  第３の接続口
１１９  第４の接続口
１２０  係合溝
１２１  溝部
１２２  リブ
１３１  分離プレート
１３２  取付け空間
【図１】
0003215194.tif 000003
【図２】
0003215194.tif 000004
【図３】
0003215194.tif 000005
【図４】
0003215194.tif 000006
【手続補正書】
【提出日】平成30年1月12日(2018.1.12)
【手続補正１】
【補正対象書類名】実用新案登録請求の範囲
【補正対象項目名】全文
【補正方法】変更
【補正の内容】
【実用新案登録請求の範囲】
【請求項１】
ケーブル接続固定装置であって、
前記ケーブル接続固定装置には、２本のケーブルが接続され、前記２本のケーブル間の回路が導通され、前記ケーブルは、複数の導線により構成され、各前記導線は、導電芯と、前記導電芯の外側を覆う絶縁層と、を含み、
前記ケーブル接続固定装置は、第１のハウジングと、前記第１のハウジングに取り付けた導電端子と、前記第１のハウジング上を覆う第２のハウジングと、を含み、
前記第１のハウジングは、本体部及び位置規制部を有し、前記本体部上には、取付け面が設けられ、前記取付け面上には、収容槽が形成され、前記位置規制部は、前記収容槽の槽底に固定され、前記位置規制部上には、複数の分離プレートが設けられ、２つの前記分離プレート間には、取付け空間が形成され、前記導電端子は前記取付け空間内に入り込み、前記第２のハウジング上には、複数の押圧ブロックが設けられ、
前記２本のケーブル上の前記導線の端部が前記導電端子の両側上方に入り込むと、前記第２のハウジング上の前記押圧ブロックが前記取付け空間内に入り込み、前記押圧ブロックが前記２本のケーブル上の前記導線を押圧し、前記導電端子が前記２本のケーブルの前記導線を突き破って電気的に接続され、前記導電端子が前記２本のケーブルの前記導線に接続されることを特徴とするケーブル接続固定装置。
【請求項２】
前記第１のハウジングの両側には、前記本体部の背面まで延伸した溝部が設けられ、
前記第２のハウジングは、蓋板の両側に垂直に接続された係合板を有し、
前記押圧ブロックは、前記蓋板の内側面に設けられ、
前記第２のハウジング上の前記係合板は、前記溝部内に入り込むことを特徴とする請求項１に記載のケーブル接続固定装置。
【請求項３】
前記係合板の前記蓋板から離れた縁部には、内方に折り曲げられたフック部が設けられ、
前記溝部内の槽底壁には、リブが突設され、組立てて前記係合板上の前記フック部が前記リブに滑り込むと、前記リブに位置決めされることを特徴とする請求項２に記載のケーブル接続固定装置。
【請求項４】
前記押圧ブロックの中央部には、凹口が形成されていることを特徴とする請求項１に記載のケーブル接続固定装置。
【請求項５】
前記収容槽は傾いた状態に成形され、
前記収容槽及び前記本体部の主軸の延伸方向により夾角が形成され、
前記押圧ブロックには、傾斜が設けられ、
前記押圧ブロックの傾斜度は、前記分離プレートの傾斜度と同じであることを特徴とする請求項１に記載のケーブル接続固定装置。
【請求項６】
蓋板の対向する二辺には、前記収容槽に対応するように突片がそれぞれ設けられ、
前記突片は、前記収容槽内に入り込んで前記ケーブルを押圧することを特徴とする請求項５に記載のケーブル接続固定装置。
【請求項７】
前記収容槽の両側には、前記本体部の前記主軸の延伸方向に対して垂直に外方へ貫通した第１の開口及び第２の開口が形成されていることを特徴とする請求項６に記載のケーブル接続固定装置。
【請求項８】
前記取付け面は、第１の線槽及び第２の線槽を有し、
前記第１の線槽及び前記第２の線槽は、Ｌ字状に形成され、
前記第１の線槽及び前記第２の線槽は、対角位置に配置され、
前記第１の線槽及び前記第２の線槽の対角位置の方向と、前記収容槽の延伸方向とは交差し、
前記Ｌ字状に形成された第１の線槽は、前記取付け面に沿って外方へ貫通され、第１の接続口及び第２の接続口が形成され、
前記Ｌ字状に形成された第２の線槽は、前記取付け面に沿って外方へ貫通され、第３の接続口及び第４の接続口が形成されることを特徴とする請求項６に記載のケーブル接続固定装置。
【請求項９】
前記収容槽の槽底には、係合溝が設けられ、
前記係合溝内には、前記位置規制部が設けられ、前記係合溝に前記位置規制部が位置決めされることを特徴とする請求項１に記載のケーブル接続固定装置。
【請求項１０】
前記導電端子は、埋入部と、前記埋入部の両端に接続された突起部と、を有し、
前記導電端子の前記埋入部は、前記位置規制部の底部に埋入され、
前記導電端子の前記突起部は、前記取付け空間内に入り込むことを特徴とする請求項１に記載のケーブル接続固定装置。
【手続補正２】
【補正対象書類名】明細書
【補正対象項目名】００１０
【補正方法】変更
【補正の内容】
【００１０】
（６）蓋板の対向する二辺には、前記収容槽に対応するように突片がそれぞれ設けられ、
前記突片は、前記収容槽内に入り込んで前記ケーブルを押圧することを特徴とする前記（５）に記載のケーブル接続固定装置。